(57)【特許請求の範囲】
【請求項１】
洋風便器の上面に設置され、ボルトによって該洋風便器に固定される便座ボックスであって、底部プレートに洋風便器前後方向に延在するスリットが設けられており、
該ボルトのうち、該洋風便器の上面から上方に突出した突出部が該スリットに挿入される便座ボックスにおいて、
該スリットの長手方向の側面部の少なくとも一方に、該長手方向に連続する凹凸部が設けられており、
該側面部の少なくとも一方がスリット幅方向に弾性的に進退可能とされ、
該ボルトの突出部が該凹凸部に係合して該便座ボックスの前後方向移動が阻止されることを特徴とする便座ボックス。
【請求項２】
洋風便器の上面に設置され、ボルトによって該洋風便器に固定される便座ボックスであって、底部プレートに洋風便器前後方向に延在するスリットが設けられており、該ボルトのうち、該洋風便器の上面から上方に突出した突出部が該スリットに挿入される便座ボックスにおいて、
該スリットの長手方向の側面部の少なくとも一方に、該長手方向に連続する凹凸部が設けられており、
該ボルトの前記突出部のうち上半側の該スリット幅方向の幅員は、該ボルトの突出部のうち下半側の該スリット幅方向の幅員よりも小さく、
該上半側が前記スリット内に存在するときには便座ボックスは前後方向に移動可能であり、該下半側が該スリット内に存在するときには便座ボックスは前後方向に移動不可能であることを特徴とする便座ボックス。
【請求項３】
請求項２において、スリットの該側面部の少なくとも一方が該スリットの幅方向に弾性的に進退自在であり、且つ該突出部の上半側の幅員が該スリットの最小幅員よりも大きいことを特徴とする便座ボックス。
【請求項４】
請求項１ないし３のいずれか１項において、前記ボルトの上端に、前記スリットを上下方向に通過しえない拡大部が設けられていることを特徴とする便座ボックス。
【発明の詳細な説明】
【０００１】
【発明の属する技術分野】
本発明は、洋風便器の上面に設置され、ボルトによって係止される便座ボックスに係り、特に、洋風便器に対する位置調整が極めて容易となるよう改良された便座ボックスに関する。
【０００２】
【従来の技術】
洋風便器に温水洗浄装置を設置する場合に、便鉢の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動自在に取り付けられる。この便座ボックスの洋風便器への従来の取付構造について図９〜１３を参照して説明する。なお、図１２は図１０のXII−XII線に沿う断面図、図１３は図１２のXIII−XIII線に沿う断面図である。
【０００３】
便座ボックス１の底部プレート２に洋風便器４の前後方向に延在するスリット３が２条平行に設けられている。このスリット３にボルト５の頭部が差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が図５の如く洋風便器４の前端から５〜２０ｍｍ程度突出するように便座ボックス１の前後位置を調整してから該ナット１０を締め込み、便座ボックス１を洋風便器４に固定する。
【０００５】
図９〜１１の便座ボックス１には、便蓋１２も上下方向回動自在に取り付けられている。この便座ボックス１の内部に温水噴射ノズル等の機構が設置されている。
【０００６】
【発明が解決しようとする課題】
従来、便座ボックス１の前後方向位置を調整するには、いちいちボルト５を緩め、再度締め直す必要があり、著しく手間がかかる。
【０００７】
本発明は便座ボックスの前後方向の位置を容易に調整できるようにすることを目的とする。
【０００８】
【課題を解決するための手段】
本発明（請求項１）の便座ボックスは、洋風便器の上面に設置され、ボルトによって該洋風便器に固定される便座ボックスであって、底部プレートに洋風便器前後方向に延在するスリットが設けられており、該ボルトのうち、該洋風便器の上面から上方に突出した突出部が該スリットに挿入される便座ボックスにおいて、該スリットの長手方向の側面部の少なくとも一方に、該長手方向に連続する凹凸部が設けられており、該側面部の少なくとも一方がスリット幅方向に弾性的に進退可能とされ、該ボルトの突出部が該凹凸部に係合して該便座ボックスの前後方向移動が阻止されることを特徴とするものである。
【０００９】
かかる便座ボックスにあっては、ボルトの突出部が凹凸部に係合することにより、便座ボックスの前後方向の位置決めが行われる。
【００１０】
また、このスリット側面部の少なくとも一方がスリット幅方向に弾性的に進退自在であるので、便座ボックスを前後方向に強く押すと突出部と凹凸部との係合位置がずれるようになり、便座ボックスの前後方向の位置調整を行うことができる。
【００１１】
本発明（請求項２）の便座ボックスは、洋風便器の上面に設置され、ボルトによって該洋風便器に固定される便座ボックスであって、底部プレートに洋風便器前後方向に延在するスリットが設けられており、該ボルトのうち、該洋風便器の上面から上方に突出した突出部が該スリットに挿入される便座ボックスにおいて、該スリットの長手方向の側面部の少なくとも一方に、該長手方向に連続する凹凸部が設けられており、該ボルトの前記突出部のうち上半側の該スリット幅方向の幅員は、該ボルトの突出部のうち下半側の該スリット幅方向の幅員よりも小さく、該上半側が前記スリット内に存在するときには便座ボックスは前後方向に移動可能であり、該下半側が該スリット内に存在するときには便座ボックスは前後方向に移動不可能であることを特徴とするものである。
【００１２】
かかる便座ボックスにあっては、突出部の下半側を凹凸部に係合させることにより便座ボックスの前後方向の位置決めが行われる。また、便座ボックスを持ち上げて突出部の下半側を凹凸部から離脱させた場合には、便座ボックスを前後方向に動かすことができ、便座ボックスの前後方向位置を調整できる。前後方向位置を調整した後、便座ボックスを降ろして突出部の下半側を再度凹凸部と係合させることにより、便座ボックスが固定される。
【００１３】
この場合、スリットの該側面部の少なくとも一方が該スリットの幅方向に弾性的に進退自在であり、且つ該突出部の上半側の幅員が該スリットの最小幅員よりも大きい構成（請求項３）としておくことが好ましい。この構成にあっては、便座ボックスを持ち上げて凹凸部と突出部上半側とを係合させたときに、該突出部上半側が凹凸部の凸部を１段ずつ乗り越えるようにして移動するようになる。このため、凹凸部と突出部下半側とを係合させるべく便座ボックスを降ろしたときに、突出部下半側と凹凸部とがスムーズに係合するようになる。
【００１４】
本発明においては、ボルトの上端に、前記スリットを上下方向に通過しえない拡大部を設けておくのが好ましい。この拡大部を設けておくと、便座ボックスを持ち上げてもボルトの上端がスリットから抜け出さないので、便座ボックスが便器から無闇に取り外されることが防止される。
【００１５】
【発明の実施の形態】
以下、図面を参照して実施の形態について説明する。図１は第１の実施の形態に係る便座ボックスの下方からの斜視図、図２は図１のII−II線に沿う断面図、図３は図２のIII−III線に沿う断面図、図４はボルトの斜視図、図５は便座ボックスの固定状態のスリット付近の縦断面図、図６は便座ボックスの移動状態のスリット付近の縦断面図である。
【００１６】
この便座ボックス１Ａには、後端面から前方に向って２条のスリット２０が延設されている。このスリット２０の両側面部２３，２３の相互対向面に凹凸部２１がスリット２０の長手方向に設けられている。この実施の形態では、凹凸部２１は鋸歯状となっている。
【００１７】
この側面部２３，２３をコ字形に囲むように透口部２２が設けられ、これによって側面部２３，２３が相互に接近、離反方向に弾性変形可能となっている。なお、側面部２３，２３を接近方向に付勢するバネ、ゴム等の弾性体を設けてもよい。
【００１８】
この便座ボックス１Ａを固定するためのボルト３０は、螺子棒部３１と、該螺子棒部３１の上部に設けられた平面視形状が菱形のブロック（突出部下半側）３２と、該ブロック３２から螺子棒部と同軸に上方に突設されたシャフト（突出部上半側）３３と、シャフト３３の上端の拡大部３４とを有する。この拡大部３４の幅員はスリット２０の最大幅よりも大きく、該拡大部３４はスリット２０を上下方向に通過しえない大きさとなっている。ブロック３２は側面部２３，２３の凹凸部２１，２１に係合しうる大きさとなっている。
【００１９】
シャフト３３は、スリット２０の最小幅よりも太く、スリット２０の最大幅よりも細い太さのものとなっている。
【００２０】
このボルト３０は、図５，６の通り、前記図９と同様に、半球パッキン８、ワッシャ９及びナット１０によって洋風便器４の２個のボルト挿通孔４ｂにそれぞれ固定される。
【００２１】
図６の如く、便座ボックス１Ａを少し浮かせ、シャフト３３をスリット２０に係合させるようにして便座ボックス１Ａをボルト３０の突出部に係合させ、便座ボックス１Ａを所望の位置まで後退させた後、便座ボックス１Ａを降ろす。これにより、図５の通り、ブロック３２が凹凸部２１，２１に係合し、便座ボックス１Ａが洋風便器４に固定される。
【００２２】
便座ボックス１Ａの位置を調整するときには、図５の状態から便座ボックス１Ａを持ち上げて図６の状態とし、便座ボックス１Ａを前後方向に動かして位置調整し、次いで便座ボックス１Ａを降ろし、ブロック３２を凹凸部２１，２１に係合させる。
【００２３】
なお、図６の状態にあっては、シャフト３３が凹凸部２１，２１間に介在している。スリット２０の最小幅（凹凸部２１，２１間の最小幅）はシャフト３３の太さ（直径）よりも小さいので、図６の状態で便座ボックス１Ａを前後方向に移動させると、凹凸部２１，２１の凸（山）を乗り越えるようにしてボルト３０と便座ボックス１Ａとが相対移動する。ボルト３０のシャフト３３が凸（山）を乗り越えるときには、側面部２３，２３は離反方向に弾性変形し、該シャフト３３が凹（谷）に入り込むと側面部２３，２３は元の形状に復帰する。シャフト３３が凹（谷）に入っている状態で、便座ボックス１Ａを下降させると、この凹（谷）がスムーズにブロック３２と係合する。
【００２４】
このようにして、便座ボックス１Ａの洋風便器への取付及び前後方向位置調整をきわめて簡単に行うことができる。また、ボルト３０の頂部に拡大部３４を設けているので、便座ボックス１Ａを持ち上げてもボルト３４の頂部がスリット２０から抜け出すことはない。このため、便座ボックス１Ａが無闇に取り外されることが防止される。
【００２５】
なお、ブロック３２を下方に向ってすぼまるテーパー形状としておき、ブロック３２が凹凸部２１の凹（谷）にきつく嵌まるようにし、便座ボックス１Ａのガタツキを防止するようにするのが好ましい。ブロック３２をテーパー形とする代りに、凹凸部２１をテーパー状としてもよい。
【００２６】
図７は第２の実施の形態に係る便座ボックスの前記図３と同様部分の断面図、図８はボルト４０の斜視図である。
【００２７】
この実施の形態に係る便座ボックス１Ｂにあっては、スリット２０の両側面部２３に湾曲した波状の凹凸部２５が設けられている。
【００２８】
ボルト４０は、螺子棒部４１と、この螺子棒部４１の上端部に設けられたブロック（突出部下半側）４２と、このブロック４２の上側に設けられた拡大部４３とを有している。
【００２９】
このブロック４２は、図７に２点鎖線で示すように凹凸部２５，２５にぴったりと嵌まる大きさとなっている。拡大部４３は、スリット２０の最大幅（凹凸部２５，２５間の最大幅）よりも大きなものとなっている。
【００３０】
このボルト４０を前記ボルト３０と同様に洋風便器に固定した後、便座ボックス１Ｂのスリット２０をボルト４０の上部に図７の如く係合させる。ブロック４２が凹凸部２５の凸（山）を越える時には、側面部２３，２３は離反方向に弾性的に変形し、凹（谷）がブロック４２と係合すると、側面部２３，２３は元の形状に復帰する。
【００３１】
図７のようにして、便座ボックス１Ｂが洋風便器に取り付けられた後、便座ボックス１Ｂの前後方向の位置調整を行うには、便座ボックス１Ｂを前又は後に強く押す。これにより、ブロック４２が凹凸部２５の凸（山）を乗り越えるように便座ボックス１Ｂとボルト４０とが相対的に移動し、位置調整が行われる。
【００３２】
上記実施の形態では側面部２３，２３の双方が弾性変形するものとなっているか、一方のみが弾性変形するよう構成してもよい。
【００３３】
【発明の効果】
以上の通り、本発明によると、便座ボックスを洋風便器の上面に容易に位置調整可能に設置することができる。
【図面の簡単な説明】
【図１】第１の実施の形態に係る便座ボックスの下方からの斜視図である。
【図２】図１のII−II線に沿う断面図である。
【図３】図２のIII−III線に沿う断面図である。
【図４】ボルトの斜視図である。
【図５】便座ボックスの固定状態のスリット付近の縦断面図である。
【図６】便座ボックスの移動状態のスリット付近の縦断面図である。
【図７】第２の実施の形態に係る便座ボックスの図３と同様部分の断面図である。
【図８】ボルト４０の斜視図である。
【図９】従来の便座ボックスと洋風便器を示す斜視図である。
【図１０】従来の便座ボックスを示す斜視図である。
【図１１】従来の便座ボックスと洋風便器を示す斜視図である。
【図１２】図１０のXII−XII線に沿う断面図である。
【図１３】図６のXIII−XIII線に沿う断面図である。
【符号の説明】
１，１Ａ，１Ｂ  便座ボックス
２  底部プレート
３  スリット
４  洋風便器
５  ボルト
２０  スリット
２１，２５  凹凸部
２２  透口部
２３  側面部
３０  ボルト
３２  ブロック（突出部上半側）
３３  シャフト（側面部下半側）
３４  拡大部
４０  ボルト
４２  ブロック
４３  拡大部
【図１】
0004240767.tif 000002
【図２】
0004240767.tif 000003
【図３】
0004240767.tif 000004
【図４】
0004240767.tif 000005
【図５】
0004240767.tif 000006
【図６】
0004240767.tif 000007
【図７】
0004240767.tif 000008
【図８】
0004240767.tif 000009
【図９】
0004240767.tif 000010
【図１０】
0004240767.tif 000011
【図１１】
0004240767.tif 000012
【図１２】
0004240767.tif 000013
【図１３】
0004240767.tif 000014